(57)【要約】【課題】  本発明は、簡便な構造且つ低コストで、濾過により分離した水分を容易に確認し、除去可能な濾過機構を有する燃料タンクを供給することを課題とする。【解決手段】  上側部材２１と、上側部材に接合した下側部材２２とからなり、上側部材２１の上面に給油口２３を設け、給油口２３に燃料キャップ２４を取付けた燃料タンク１６において、下側部材２２に燃料排出口２５を設け、給油口２３と燃料排出口２５との間に燃料の異物を濾過するためのフィルタ部材２６を備えた。  このフィルタ部材２６は水は通さないが燃料は通過させる性質を有するフッ素樹脂製エレメント２７で形成し、フィルタ部材２６を上側部材２１と下側部材２２との間の分割面２８で挟持して配置した。【選択図】      図２
2005155348.tif 000002
【特許請求の範囲】
【請求項１】
上側部材と下側部材とからなり、前記上側部材に給油口を開け、前記下側部材に燃料排出口を設け、前記給油口と前記燃料排出口との間に燃料の異物を濾過するためのフィルタ部材を備えた燃料タンクにおいて、
前記フィルタ部材は水は通さないが燃料は通過させる性質を有するフッ素樹脂製エレメントであり、
前記フィルタ部材を前記上側部材と前記下側部材との間の分割面で挟持して配置したことを特徴とする燃料タンク。
【発明の詳細な説明】
【技術分野】
【０００１】
本発明は、燃料に混入した水やゴミ等の異物を燃料と分離するため、内部にフィルタ部材を配置した燃料タンクに関するものである。
【背景技術】
【０００２】
従来、燃料に混入した水を燃料と分離するため、水は通さないが燃料は通過させる性質を有するフッ素樹脂製エレメントを備えた燃料タンクが知られている（例えば、特許文献１参照。）。
【特許文献１】実開昭５５−１０５４３号公報（第１図）
【０００３】
特許文献１を次図に基づいて説明する。
図６は従来の技術の基本構成を説明した図であり、燃料タンク１０１から燃料ポンプ１０２に向けて燃料供給パイプ１０３を接続し、燃料供給パイプ１０３の燃料給出口１０３ａを囲うように燃料タンク１０１の内部にフッ素樹脂製エレメント１０４を設けた。なお、１０５は燃料タンク１０１の底部１０１ａに設けたドレンバルブである。
【０００４】
燃料タンク１０１内の燃料は、燃料ポンプ１０２により燃料給出口１０３ａから給出される。このとき、燃料給出口１０３ａの周囲を囲ったフッ素樹脂製エレメント１０４により、燃料に混在した水分等が分離され底部１０１ａに溜まる。底部１０１ａに溜まった水分等はドレンバルブ１０５により外部に流すことで、タンク１０１内の水分を除去するというものである。
【０００５】
しかし、燃料タンク１０１内に溜まった水分を除去するために、底部１０１ａに設けた水溜め及びドレーンバルブ１０５を開閉して適宜除去するが、タンク１０１内に溜まった水分の有無及び量の把握は困難である。
そこで、水分の有無及び量を把握するため、燃料タンクに観察窓を付設する場合があるが、ドレーンプラグや観察窓の追加は、製品コストの上昇につながる。
【発明の開示】
【発明が解決しようとする課題】
【０００６】
本発明は、簡便な構造且つ低コストで、濾過により分離した水分を容易に確認でき、除去可能な濾過機構を有する燃料タンクを供給することを課題とする。
【課題を解決するための手段】
【０００７】
請求項１に係る発明は、上側部材と下側部材とからなり、上側部材に給油口を開け、下側部材に燃料排出口を設け、給油口と燃料排出口との間に燃料の異物を濾過するためのフィルタ部材を備えた燃料タンクにおいて、フィルタ部材は水は通さないが燃料は通過させる性質を有するフッ素樹脂製エレメントであり、フィルタ部材を上側部材と下側部材との間の分割面で挟持して配置したことを特徴とする。
【０００８】
フィルタ部材はフッ素樹脂製エレメントで形成し、このフィルタ部材を上側部材と下側部材を接合する際、上側部材と下側部材の分割面により挟持して配置したので、フィルタ部材を簡便な構成で強固に固定することができる。
従って、フィルタ部材を取付けるための支持部材などは不要となり、製品及び製造に係るコストを大幅に低減することができる。
【０００９】
また、フィルタ部材は、給油口から臨むことができる位置に設けたので、フィルタ部材内に溜まった水分を容易に目視により確認することができる。
燃料タンクに溜まった水分を容易に確認できるので、燃料タンク内の水分の有無を即判断でき、溜まった水分を速やかに除去することが可能である。
【００１０】
水を含んだ燃料が給油口から燃料供給路を通ってフィルタ部材に入ると、燃料分はフィルタ部材を通過して燃料タンク内に溜まり、水分はフィルタ部材内に残留する。
フィルタ部材内に残留した水分は、フィルタ部材を傾けることにより容易に除去することができる。
従って、燃料タンク内に長期間水分が滞留することは無くなり、水分による燃料タンク内部の腐食を抑制することができる。
【発明の効果】
【００１１】
請求項１に係る発明では、フッ素樹脂製エレメントを備えたフィルタ部材を上側部材と下側部材との間の分割面で挟持して配置したので、製品及び製造に係るコストをかけずに、水分が燃料タンクからエンジン及びその吸気系に入るという不具合を抑制することができるという利点がある。
【発明を実施するための最良の形態】
【００１２】
本発明を実施するための最良の形態を添付図に基づいて以下に説明する。なお、図面は符号の向きに見るものとする。
図１は本発明に係るエンジンの側面図であり、エンジン１１は、クランクケース１２と、このクランクケース１２の上にボルト締めして取付けた本体部１３と、本体部１３の上部にタンクブラケット１４及びボルト・ナット１５ａ、１５ｂを介して取付けた燃料タンク１６と、この本体部１３に取付けたリコイルスタータ１８と、リコイルスタータ１８に紐を介して取付けたスタータグリップ１９とを備えたことを示す。
なお、１７は燃料コックレバーである。
【００１３】
図２は本発明に係る燃料タンクの側面図であり、燃料タンク１６は、上側部材２１と、上側部材に接合した下側部材２２とからなる。上側部材２１の上面２１ａに給油口２３を設け、給油口２３に燃料キャップ２４を取付ける。
【００１４】
そして、下側部材２２に燃料排出口２５を設け、給油口２３と燃料排出口２５との間に燃料の異物を濾過するためのフィルタ部材２６を備える。
このフィルタ部材２６は水は通さないが燃料は通過させる性質を有するフッ素樹脂製エレメント２７で形成し、フィルタ部材２６を上側部材２１と下側部材２２との間の分割面２８で挟持して配置したものである。
【００１５】
燃料タンク１６は、上側部材２１と、この上側部材２１の下端に固着した下側部材２２とを主要構成とする部材である。そして、下側部材２２はインナ部材３１とアウタ部材３２とからなる。インナ部材３１は、前記上側部材２１と合わせ燃料を蓄える容器としての役割を果たし、アウタ部材３２はインナ部材３１の外側に配置して燃料タンク１６を支える役割をもつ部材である。
なお、アウタ部材３２に燃料タンク１６を固定するためのボルト１５ａを取付けた。
【００１６】
図３は図２の３部拡大断面図であり、上側部材２１、インナ部材３１とアウタ部材３２とからなる下側部材２２、並びにフィルタ部材２６の結合構造を示す。
タンク支持部材の役割を担うアウタ部材３２のフランジ部にインナ部材３１を載せ、インナ部材３１の上にフィルタ部材２６を載せ、フィルタ部材２６の上に液体シーラ３４を介して上側部材２１のフランジ部２１ａを載せ、フランジ部２１ａを全周にわたり下側部材２２側に折曲げ、相互に固着したことを示す。
【００１７】
すなわち、フィルタ部材２６を上側部材２１と下側部材２２との間の分割面２８で挟持して配置した。分割面２８とは、フランジ部２１ａと下側部材２２のうちのインナ部材３１とを突き合わせることで形成させる面を指す。
ここで、燃料洩れを防止するために用いる液体シーラ３４を、パッキンに代替して固着することは差し支えない。
【００１８】
以下、本発明に係る燃料タンクの作用について説明する。
図４は上側部材と下側部材との間に配置したフッ素樹脂製エレメントの作用図であり、水分やゴミ、砂、泥、草木等の異物を含んだ燃料を給油口２３から給油する。燃料がフィルタ部材２６に接触すると、燃料分（Ｆ）はフィルタ部材２６を通過し、水分（Ｗ）及び異物（Ｄ）はフィルタ部材２６の上側に残留することを示す。
【００１９】
このフィルタ部材２６は、フッ素樹脂製エレメント２７である。フッ素樹脂製エレメント２７は、水は通さないが燃料は通過させる性質を有するので、水分や異物が混入した燃料がフィルタ部材２６に達すると、燃料分（Ｆ）のみが通過し、水分やゴミ、砂、泥、草木の破片等の異物は通過しない。
水分や異物が除去された燃料分（Ｆ）は、燃料排出口２５を通って出力される。
【００２０】
フィルタ部材２６は、上側部材２１と下側部材２２との分割面２８に配置したので、大きな濾過面積を確保できる。濾過面積が大きいので、水分や異物がフィルタ部材２６を覆い、燃料を円滑に濾過しなくなるという問題を回避することができる。
【００２１】
フィルタ部材２６を上側部材２１と下側部材２２を接合する際、上側部材２１と下側部材２２の分割面２８により挟持して配置したので、フィルタ部材２６を簡便な構成で強固に固定することができる。
従って、フィルタ部材２６を取付けるための支持部材は不要となり、製品及び製造に係るコストを大幅に低減することができる。
【００２２】
また、フィルタ部材２６は、給油口２３から臨むことができる位置に設けたので、フィルタ部材２６内に溜まった水分を容易に目視により確認することができる。
燃料タンク１６に溜まった水分を容易に確認できるので、燃料タンク１６内の水分の有無を即判断でき、溜まった水分を速やかに除去することが可能である。
【００２３】
図５は燃料から分離した水分等を除去することを示す作用図であり、フィルタ部材２６の上に残留した水分は、フィルタ部材２６と一体で形成した燃料タンク１６を傾けることにより容易に除去可能なことを示す。
燃料タンク１６を傾ける代わりに、残留した水分をスポイト等の吸引手段により除去しても差し支えない。
従って、燃料タンク１６内に長期間水分が滞留することは無くなり、水分が燃料タンクからエンジン及びその吸気系に入るという不具合を抑制することができる
【００２４】
すなわち、本発明によると、簡便な構造且つ低コストで、水分等の混入した燃料を燃料分と水分に分離することができ、分離した水分を容易に視認し、除去することができる。
【００２５】
尚、本発明に係る燃料タンクは、実施の形態では汎用ガソリンエンジンに適用したが、汎用デイーゼルエンジンの燃料タンクにも適用することは差し支えない。
【産業上の利用可能性】
【００２６】
本発明に係る燃料タンクは、汎用ガソリンエンジンに好適である。
【図面の簡単な説明】
【００２７】
【図１】本発明に係るエンジンの側面図である。
【図２】本発明に係る燃料タンクの側面図である。
【図３】図２の３部拡大断面図である。
【図４】上側部材と下側部材との間に配置したフッ素樹脂製エレメントの作用図である。
【図５】燃料から分離した水分等を除去することを示す作用図である。
【図６】従来の技術の基本構成を説明した図である。
【符号の説明】
【００２８】
１６…燃料タンク、２１…上側部材、２１ａ…上側部材のフランジ部、２２…下側部材、２３…給油口、２５…燃料排出口、２６…フィルタ部材、２７…エレメント、２８…上側部材２１と下側部材２２との分割面、３４…液体シーラ。
【図１】
2005155348.tif 000003
【図２】
2005155348.tif 000004
【図３】
2005155348.tif 000005
【図４】
2005155348.tif 000006
【図５】
2005155348.tif 000007
【図６】
2005155348.tif 000008